(57)【要約】      （修正有）【課題】映像と音とのうち少なくともいずれかの出力に関する操作を簡便にする。【解決手段】出力方法は、複数の出力装置のうちいずれかの出力装置から、可搬装置からの電波を受信したことを示す通知を受信する処理と、上記電波を受信した出力装置に、中止されている映像出力と音出力の両方又は一方を再開させる処理とを含む。可搬装置を保持する利用者が出力装置に近づいた段階で、中止されている映像出力と音出力の両方又は一方を自動的に再開させ、操作を要せずに視聴を継続させることができる。【選択図】図２４
2014127919.tif 000002
【特許請求の範囲】
【請求項１】
複数の出力装置のうちいずれかの出力装置から、可搬装置からの電波を受信したことを示す通知を受信する処理と、
前記電波を受信した出力装置に、中止されている映像出力と音出力の両方又は一方を再開させる処理と
を含む出力方法。
【請求項２】
更に、
前記電波を受信した二以上の出力装置のうち、受信した前記電波の強度が大きい方の出力装置を選択する処理
を含む請求項１記載の出力方法。
【請求項３】
更に、
映像と音の両方又は一方を出力している出力装置において、可搬装置から受信した電波が前記所定の強度に達しない場合に、当該出力装置における出力を中止させる処理と、
前記映像と音の両方又は一方に係る出力情報の再生を中断させる処理と、
を含む請求項１又は２記載の出力方法。
【請求項４】
更に、
前記出力を再開させる場合に、中断させた前記再生を再開させる処理
を含む請求項３記載の出力方法。
【請求項５】
更に、
前記再生を中断する場合に、前記出力情報を再生するためのソースデータを削除させる要求を拒絶する処理
を含む請求項３又は４記載の出力方法。
【請求項６】
更に、
前記再生を中断する場合に、前記出力情報を再生するためのソースデータを記憶しているメディアを排出させる要求を拒絶する処理
を含む請求項３又は４記載の出力方法。
【請求項７】
可搬装置からの電波を受信する受信部を有する複数の出力装置と、
いずれか１つの出力装置に、中止されている映像出力と音出力の両方又は一方を再開させる制御部と
を有する出力システム。
【請求項８】
複数の出力装置のうちいずれかの出力装置から、可搬装置からの電波を受信したことを示す通知を受信する処理と、
前記電波を受信した出力装置に、中止されている映像出力と音出力の両方又は一方を再開させる処理と
をコンピュータに実行させるためのプログラム。
【発明の詳細な説明】
【技術分野】
【０００１】
本技術は、映像と音とのうち少なくともいずれかの出力を制御する技術に関する。
【背景技術】
【０００２】
ある特許文献では、家庭内ネットワークに接続された電子機器で映像や音楽などのコンテンツの再生を中断した場合に、携帯電話機のような可搬型の再生制御装置で再生情報を保持する技術が開示されている。この技術によれば、再生情報を用いて、家庭内ネットワークに接続された別の電子機器で視聴を容易に再開させることができる。
【０００３】
この技術において、コンテンツ再生の中断と再開は、コントローラからの操作により行われる。従って、利用者にとって、中断と再開の都度操作を行う煩わしさがある。
【０００４】
また、他の特許文献には、リモートコントローラで操作されるＴＶのような電気製品側から探索信号を送信し、リモートコントローラで探索信号を受信すると、音または光の報知信号を外部に向けて放射する技術が記載されている。これにより、所在が不明になったリモートコントローラを容易に探せるようになる。
【０００５】
この技術は、リモートコントローラの位置を人に知らせることを目的としており、ＴＶ等の電気製品側の主たる動作には関わりがない。
【先行技術文献】
【特許文献】
【０００６】
【特許文献１】特開２００７−２５９３４３号公報
【特許文献２】実開平６−５２２９３号公報
【発明の概要】
【発明が解決しようとする課題】
【０００７】
本技術の目的は、一側面では、映像と音とのうち少なくともいずれかの出力に関する操作を簡便にすることである。
【課題を解決するための手段】
【０００８】
一態様の出力方法は、複数の出力装置のうちいずれかの出力装置から、可搬装置からの電波を受信したことを示す通知を受信する処理と、上記電波を受信した出力装置に、中止されている映像出力と音出力の両方又は一方を再開させる処理とを含む。
【０００９】
一態様の出力システムは、可搬装置からの電波を受信する受信部を有する複数の出力装置と、いずれか１つの出力装置に、中止されている映像出力と音出力の両方又は一方を再開させる制御部とを有する。
【発明の効果】
【００１０】
一側面によれば、映像と音とのうち少なくともいずれかの出力に関する操作を簡便にすることができる。
【図面の簡単な説明】
【００１１】
【図１】図１は、コンテンツ再生システムに係るネットワークの例を示す図である。
【図２】図２は、コンテンツ再生システムに関する第１状態を示す図である。
【図３】図３は、電波レベルの定義の例を示す図である。
【図４】図４は、第１状態における携帯端末データの例を示す図である。
【図５】図５は、第１状態におけるコンテンツ管理データの例を示す図である。
【図６】図６は、コンテンツ再生システムに関する第２状態を示す図である。
【図７】図７は、第２状態における携帯端末データの例を示す図である。
【図８】図８は、第２状態におけるコンテンツ管理データの例を示す図である。
【図９】図９は、コンテンツ再生システムに関する第３状態を示す図である。
【図１０】図１０は、第３状態における携帯端末データの例を示す図である。
【図１１】図１１は、第３状態におけるコンテンツ管理データの例を示す図である。
【図１２】図１２は、コンテンツ再生システムにおけるシーケンスの例を示す図である。
【図１３】図１３は、コンテンツ再生システムにおけるシーケンスの例を示す図である。
【図１４Ａ】図１４Ａは、コンテンツ再生システムにおけるシーケンスの例を示す図である。
【図１４Ｂ】図１４Ｂは、コンテンツ再生システムにおけるシーケンスの例を示す図である。
【図１５】図１５は、サーバのモジュール構成の例を示す図である。
【図１６】図１６は、表示装置のモジュール構成の例を示す図である。
【図１７】図１７は、携帯端末のモジュール構成の例を示す図である。
【図１８】図１８は、表示装置の制御部における処理フローの例を示す図である。
【図１９】図１９は、表示装置におけるコンテンツ検索要求処理フローの例を示す図である。
【図２０】図２０は、サーバの制御部における処理フローの例を示す図である。
【図２１】図２１は、サーバにおけるコンテンツ検索要求処理フローの例を示す図である。
【図２２】図２２は、コンテンツ再生要求処理フローの例を示す図である。
【図２３】図２３は、出域判定処理フローの例を示す図である。
【図２４】図２４は、中断要求処理フローの例を示す図である。
【図２５】図２５は、監視要求処理フローの例を示す図である。
【図２６】図２６は、入域判定処理フローの例を示す図である。
【図２７】図２７は、再開判定処理フローの例を示す図である。
【図２８】図２８は、コンテンツ表示要求処理フローの例を示す図である。
【図２９】図２９は、コンピュータの機能ブロック図である。
【発明を実施するための形態】
【００１２】
図１に、コンテンツ再生システムに係るネットワークの例を示す。この例で、コンテンツ再生システムは、サーバ１０１、表示装置１０３ａ、表示装置１０３ｂ、携帯端末１０５ａ、携帯端末１０５ｂ及びアクセスポイント１０７を有している。サーバ１０１、表示装置１０３ａ、表示装置１０３ｂ、携帯端末１０５ａ、携帯端末１０５ｂ及びアクセスポイント１０７は、有線あるいは無線によるＬＡＮ（Local Area Network）を介して接続されている。また、サーバ１０１、表示装置１０３ａ、表示装置１０３ｂ、携帯端末１０５ａ及び携帯端末１０５ｂは、例えばＤＬＮＡ（Digital Living Network Alliance）のような機器間の互換性を実現するプロトコルによって、互いに通信を行う。
【００１３】
サーバ１０１は、コンテンツのソースデータ（例えば、圧縮された動画データや音データ）を格納したメディア装置を備え、例えば復号により再生されたコンテンツを他の装置に提供する装置である。サーバ１０１は、例えばＤＶＤ（Digital Versatile Disk）レコーダーである。コンテンツは、例えば、映画のような動画あるいは音楽のような音の情報である。
【００１４】
表示装置１０３ａと表示装置１０３ｂは、再生された動画データを表示する表示装置１０３の例である。更に、表示装置１０３は、再生された音データを出音する。表示装置１０３は、例えばレンダラーの機能を有し、動画を表示する表示装置と、音声を出力する出音装置を備えている。表示装置１０３は、コンテンツの再生データ（例えば、圧縮されていない動画データや音データ）を出力する出力装置の例である。出力装置は、デジタルＴＶの他、デスクトップＰＣ（Personal computer）、ノートＰＣあるいはプロジェクタなどであってもよい。出力装置は、１台接続してもよいし、複数台接続してもよい。例えば、建屋内で別々の部屋にそれぞれの出力装置が設置されるようにしてもよい。
【００１５】
携帯端末１０５ａと携帯端末１０５ｂは、表示装置１０３に対するコントローラの機能を備えた携帯端末１０５の例である。携帯端末１０５は、可搬な装置の例である。携帯端末１０５は、例えばスマートフォンである。あるいは、専用のコントローラでもよい。
【００１６】
また、表示装置１０３と携帯端末１０５は、いずれも近距離通信機能を備えている。従って、表示装置１０３ａは、携帯端末１０５ａ又は携帯端末１０５ｂと近距離通信を行い、表示装置１０３ｂは、携帯端末１０５ａ又は携帯端末１０５ｂと近距離通信を行うことが想定される。また、表示装置１０３と携帯端末１０５は、近距離通信の前提として機器間のペアリングの動作を行う。ペアリングの動作によって、表示装置１０３は、携帯端末１０５から受信した電波の強度と、その電波の発信源である携帯端末１０５を特定する機能を備えている。
【００１７】
本実施の形態に係るコンテンツ再生システムでは、コンテンツを視聴している利用者の移動に伴い、一方の表示装置１０３（例えば、表示装置１０３ａ）におけるコンテンツ表示を中断し、他方の表示装置１０３（例えば、表示装置１０３ｂ）でコンテンツ表示を再開する。以下、利用者の移動に係るコンテンツ再生システムの動作の概要について説明する。
【００１８】
図２に、コンテンツ再生システムに関する第１状態を示す。部屋２０１ａは、建屋に含まれる第１の部屋である。部屋２０１ｂは、部屋２０１ａと同じ建屋に含まれる第２の部屋の例を示している。表示装置１０３ａは、部屋２０１ａ内に設置されている第１の表示装置である。表示装置１０３ｂは、部屋２０１ｂ内に設置されている第２の表示装置である。サーバ１０１は、図１に示したとおり、表示装置１０３ａと表示装置１０３ｂに接続している。通信領域２０３ａは、表示装置１０３ａにおいて所定の強度以上の電波を受信する場合に、その発信源である携帯端末１０５が存在すると推定される範囲を模式的に示している。同様に通信領域２０３ｂは、表示装置１０３ｂにおいて所定の強度以上の電波を受信する場合に、その発信源である携帯端末１０５が存在すると推定される範囲を模式的に示している。
【００１９】
この第１状態で、サーバ１０１は、コンテンツを再生している。例えば、連続的に復号処理を行っている。そして、再生されたコンテンツの再生データは、表示装置１０３ａに送られている。表示装置１０３ａは、受信したデータに基づいてコンテンツに含まれる映像を表示画面に表示し、更にコンテンツに含まれる音をアンプを介してスピーカから出している。この例でコンテンツを視聴している利用者は、携帯端末１０５ａを保持している。このとき、携帯端末１０５ａは、通信領域２０３ａ内に位置している。携帯端末１０５ｂは、部屋２０１ａ内にあるが、通信領域２０３ａ外に位置している。例えば、携帯端末１０５ｂは他の者が保持している。このとき、表示装置１０３ａは、近距離通信の電波によって携帯端末１０５ａが通信領域２０３ａ内に位置していることを検知している。
【００２０】
本実施の形態では、電界強度によって、電波レベルを分ける。図３に、電波レベルの定義の例を示す。電界強度が０ｄｂ〜−１９．９９ｄｂの範囲では、電波レベルがレベル５であることを示している。更に、レベル５が、最も電波が強く、レベル４、レベル３、レベル２、レベル１の順に電波は弱くなる。電界強度が−２０ｄｂ〜−３９．９９ｄｂの範囲では、電波レベルがレベル４であり、電界強度が−４０ｄｂ〜−５９．９９ｄｂの範囲では、電波レベルがレベル３であり、電界強度が−６０ｄｂ〜−７９．９９ｄｂの範囲では、電波レベルがレベル２であることを示している。最も電波が弱いレベル１は、電界強度が−８０ｄｂ以下であることを示している。この例では、レベル５〜レベル２のときに、携帯端末１０５を保持している利用者が視聴に適した領域にいると想定している。視聴に適した領域は、通信領域２０３ａと通信領域２０３ｂに相当する。  
【００２１】
また、表示装置１０３ａは、ペアリングした携帯端末１０５についてのデータを保持している。図４に、第１状態における携帯端末データの例を示す。ペアリングした携帯端末１０５毎に、レコードを有している。レコードには、携帯端末ＩＤ、電波レベルの項目が含まれている。携帯端末ＩＤは、ペアリングした携帯端末１０５の識別情報を示している。電波レベルは、ペアリングにおいて携帯端末１０５から受信した電波のレベルを示している。この例で、１番目のレコードは、携帯端末１０５ａに関するデータを示している。具体的には、ペアリングした携帯端末１０５は、携帯端末ＩＤが「ＳＰ＿Ａ」であり、ペアリングにおいて受信した電波のレベルがレベル３であることを示している。２番目のレコードは、携帯端末１０５ｂに関するデータを示している。具体的には、ペアリングした携帯端末１０５の携帯端末ＩＤが「ＳＰ＿Ｂ」であり、ペアリングにおいて受信した電波のレベルがレベル１であることを示している。このレコードの情報がサーバ１０１に登録されているか否かを示した項目を設けるようにしてもよい。
【００２２】
図２の説明に戻って、一方の表示装置１０３ｂは、何も表示していない。また、部屋２０１ｂ内には、携帯端末１０５は存在しない。そのため、表示装置１０３ｂは、携帯端末データを保持していない。
【００２３】
また、サーバ１０１は、自ら再生中あるは一旦再生を中断しているコンテンツに関するデータを保持している。図５に、第１状態におけるコンテンツ管理データの例を示す。コンテンツ管理データは、再生中あるは中断しているコンテンツ毎にレコードを有している。レコードには、表示装置ＩＤ、携帯端末ＩＤ、電波レベル、状態、コンテンツタイトル及び再生済み時間の項目が含まれている。
【００２４】
表示装置ＩＤは、コンテンツの再生データの送信先となっている表示装置１０３の識別情報である。携帯端末ＩＤは、送信先である表示装置１０３の通信領域２０３内に位置する携帯端末１０５の識別情報である。電波レベルは、送信先である表示装置１０３がペアリングで携帯端末１０５から受信した電波のレベルである。状態は、再生中あるいは中断を示している。コンテンツタイトルは、再生中あるいは中断しているコンテンツのタイトルである。再生済み時間は、再生中の場合は進行する再生時点までの時間を示し、中断している場合には中断時点までの時間を示している。
【００２５】
図５の１番目のレコードは、サーバ１０１は、タイトルが「ＡＢＣ」であるコンテンツを「００：１４：００」まで再生し、更に再生中であることを示している。更に、コンテンツ送信先の表示装置ＩＤが「ＴＶ＿Ａ」であり、その表示装置１０３ａにおいてレベル３の電波を受信し、その電波を発信した携帯端末ＩＤが「ＳＰ＿Ａ」であることを示している。２番目以降のレコードはないので、他のコンテンツは再生も中断もしていない。
【００２６】
続いて、第１状態の後の第２状態について説明する。図６に、コンテンツ再生システムに関する第２状態を示す。第１状態で携帯端末１０５ａを保持し、視聴していた利用者が、部屋２０１ｂに向けて移動している。携帯端末１０５ａは、通信領域２０３ａ外に出ている。携帯端末１０５ｂは、移動していない。
【００２７】
表示装置１０３ａは、ペアリングにより携帯端末１０５ａが通信領域２０３ａ外に出たことを検知している。図７に、第２状態における表示装置１０３ａで保持する携帯端末データの例を示す。１番目のレコードは、携帯端末１０５ａに関するデータを示している。携帯端末ＩＤが「ＳＰ＿Ａ」である携帯端末１０５に関する電波のレベルがレベル１となったことを示している。２番目のレコードは、携帯端末１０５ｂに関するデータを示し、図４と同様である。尚、表示装置１０３ｂに関しては、第１状態と同様に第２状態においても携帯端末データはない。
【００２８】
図６の説明に戻って、表示装置１０３ａは、携帯端末１０５ａが通信領域２０３ａ外に出たことを検知すると、コンテンツの再生と表示が中断される旨の警告を表示する。そして、警告から一定期間経過すると、表示装置１０３ａは、コンテンツの表示を中止し、サーバ１０１は、コンテンツの再生を中断する。
【００２９】
図８に、第２状態におけるサーバ１０１で保持するコンテンツ管理データの例を示す。１番目のレコードの表示装置ＩＤ「ＴＶ＿Ａ」、携帯端末ＩＤ「ＳＰ＿Ａ」及びコンテンツタイトル「ＡＢＣ」は、第１状態を示す図５の１番目のレコードと同様である。電波レベルがレベル１となり、状態が「中断」となっている。また、再生済み時間は、開始から中断を通知するまでの時間が「００：１５：００」であることを示している。２番目以降のレコードはない。
【００３０】
続いて、第２状態の後の第３状態について説明する。図９に、コンテンツ再生システムに関する第３状態を示す。携帯端末１０５ａを保持する利用者は、部屋２０１ｂに入り、表示装置１０３ｂに接近している。このとき、携帯端末１０５ａは、通信領域２０３ｂ内に位置する。表示装置１０３ｂが通信領域２０３ｂ内の携帯端末１０５ａを検知すると、サーバ１０１は、コンテンツの再生を再開し、表示装置１０３ａは、コンテンツの続きを表示する。このようにして、利用者は切れ間なくコンテンツを視聴することができる。
【００３１】
図１０に、第３状態における表示装置１０３ｂが保持する携帯端末データの例を示す。１番目のレコードは、携帯端末１０５ａに関するデータを示している。具体的には、ペアリングした携帯端末１０５は、携帯端末ＩＤが「ＳＰ＿Ａ」であり、ペアリングにおいて受信した電波のレベルがレベル２であることを示している。２番目以降のレコードはない。
【００３２】
尚、携帯端末１０５ｂは、部屋２０１ａ外へ移動し、表示装置１０３ａと表示装置１０３ｂのいずれからも検知されない位置にある。従って、表示装置１０３ｂにおける携帯端末データはない。
【００３３】
図１１に、第３状態におけるサーバ１０１で保持するコンテンツ管理データの例を示す。図１１の１番目のレコードは、サーバ１０１は、タイトルが「ＡＢＣ」のコンテンツの再生を「００：１５：００」から再開することを示している。更に、コンテンツ送信先の表示装置ＩＤが「ＴＶ＿Ｂ」であり、その表示装置においてレベル２で電波を受信し、その電波を発信する携帯端末ＩＤが「ＳＰ＿Ａ」であることを示している。２番目以降のレコードはないので、他のコンテンツは再生も中断もしていない。
【００３４】
以上で、利用者の移動に係るコンテンツ再生システムの動作の概要についての説明を終える。次に、上記の動作の概要に従って、図１２乃至図１４Ｂを用いてコンテンツ再生システムのシーケンスについて説明する。
【００３５】
図１２は、コンテンツ検索の時点からコンテンツ表示開始の時点までの流れを示している。図１２は、携帯端末１０５ａ、表示装置１０３ａ及びサーバ１０１の間のデータフローと主な処理を示している。
【００３６】
表示装置１０３ａに関しては、制御部１６３１によるプロセスと表示部１６０１によるプロセスを示している。制御部１６３１は、主に連携動作を制御するモジュールである。表示部１６０１は、表示処理を行うモジュールである。尚、表示装置１０３のモジュール構成については、図１６を用いて後述する。
【００３７】
また、サーバ１０１に関しては、制御部１５３１によるプロセスと検索部１５０５によるプロセスと再生部１５０７によるプロセスを示している。制御部１５３１は、主に連携動作を制御するモジュールである。検索部１５０５は、コンテンツの検索を行うモジュールである。再生部１５０７は、コンテンツの再生を行うモジュールである。尚、サーバ１０１のモジュール構成については、図１５を用いて後述する。
【００３８】
利用者が、携帯端末１０５ａを操作して、コンテンツの検索を指示すると携帯端末１０５ａは、表示装置１０３ａへコンテンツ検索要求を送信する（Ｓ１２０１）。表示装置１０３ａの制御部１６３１は、サーバ１０１へコンテンツ検索要求を転送する（Ｓ１２０３）。
【００３９】
サーバ１０１がコンテンツ検索要求を受信すると、サーバ１０１の制御部１５３１は、サーバ１０１の検索部１５０５へコンテンツ検索指示を渡す（Ｓ１２０５）。サーバ１０１の検索部１５０５は、コンテンツの検索を行い（Ｓ１２０７）、検索結果に基づくコンテンツ一覧画面のデータをサーバ１０１の制御部１５３１に返す（Ｓ１２０９）。サーバ１０１の制御部１５３１は、表示装置１０３ａへコンテンツ一覧画面のデータを送信する（Ｓ１２１１）。
【００４０】
表示装置１０３ａがコンテンツ一覧画面のデータを受信すると、表示装置１０３ａの制御部１６３１は、表示装置１０３ａの表示部１６０１へコンテンツ一覧画面のデータを渡し（Ｓ１２１３）、表示装置１０３ａの表示部１６０１はコンテンツ一覧画面を表示する（Ｓ１２１５）。
【００４１】
利用者が、表示装置１０３ａに表示されたコンテンツ一覧画面を見て、携帯端末１０５ａを操作し、いずれかのコンテンツを選択して、そのコンテンツの再生を指示する。この指示によって、携帯端末１０５ａは、表示装置１０３ａへコンテンツ再生要求を送信する（Ｓ１２１７）。コンテンツ再生要求には、選択されたコンテンツを識別する情報が含まれている。
【００４２】
表示装置１０３ａがコンテンツ再生要求を受信すると、表示装置１０３ａの制御部１６３１は、サーバ１０１へコンテンツ再生要求を転送する（Ｓ１２１９）。
【００４３】
サーバ１０１がコンテンツ再生要求を受信すると、サーバ１０１の制御部１５３１は、サーバ１０１の再生部１５０７へコンテンツ再生指示を渡す（Ｓ１２２１）。サーバ１０１の再生部１５０７は、選択されたコンテンツを再生し、再生した動画データを表示装置１０３ａに送信する（Ｓ１２２３）。この例では、動画データに、動画と同期する音データも含まれている。但し、音データを含まないようにしてもよい。動画データと音データを別個に送信してもよい。あるいは、動画データを伴わない音データを送信するようにしてもよい。
【００４４】
一方、表示装置１０３ａの制御部１６３１は、表示装置１０３ａの表示部１６０１へ表示指示を渡す（Ｓ１２２５）。表示装置１０３ａの表示部１６０１は、コンテンツを表示する（Ｓ１２２７）。具体的には表示装置１０３ａの表示部１６０１は、サーバ１０１の再生部１５０７から動画データを受信し、表示する。（Ｓ１２２９）。このようにして、利用者によるコンテンツの視聴が開始される。
【００４５】
続いて、図１３を用いてコンテンツ表示の時点からコンテンツ再生中断の時点までの流れについて説明する。図１３は、図１２と同様に、携帯端末１０５ａ、表示装置１０３ａ、サーバ１０１との間のデータフローと主な処理を示している。表示装置１０３ａに関しては、図１２と同様に、制御部１６３１によるプロセスと表示部１６０１によるプロセスを示している。サーバ１０１に関しては、図１２と同様に、制御部１５３１によるプロセスと再生部１５０７によるプロセスを示している。
【００４６】
表示装置１０３ａの表示部１６０１が動画データを連続して表示している間（Ｓ１２２９）、表示装置１０３ａの制御部１６３１は、出域判定を繰り返す（Ｓ１３０１，Ｓ１３０７，Ｓ１３１３）。出域判定では、携帯端末１０５が通信領域２０３を出たか否かを判定する。具体的には、近距離通信によるペアリングを行う。探索するための電波信号を発信し（Ｓ１３０３，Ｓ１３０９，Ｓ１３１５）、携帯端末１０５ａから返信される応答を示す電波信号を受信する（Ｓ１３０５，Ｓ１３１１，Ｓ１３１７）。この例では、Ｓ１３０５とＳ１３１１では、レベル２以上の電波を受信し、携帯端末１０５ａが通信領域２０３ａを出ていないと判定する。Ｓ１３１７では、レベル１の電波を受信し、携帯端末１０５ａが通信領域２０３ａを出たと判定する。
【００４７】
携帯端末１０５ａが通信領域２０３ａを出たと判定すると、表示装置１０３ａの制御部１６３１は、表示装置１０３ａの表示部１６０１に警告を表示する指示を渡す（Ｓ１３１９）。この指示に従って、表示装置１０３ａの表示部１６０１は、前述の警告を表示する（Ｓ１３２１）。警告を表示してから所定時間を経過すると、表示装置１０３ａの制御部１６３１は、表示装置１０３ａの表示部１６０１にコンテンツの表示を中止する指示を渡す（Ｓ１３２３）。この指示に従って、表示装置１０３ａの表示部１６０１は、コンテンツの表示を中止する（Ｓ１３２５）。更に、表示装置１０３ａの制御部１６３１は、サーバ１０１にコンテンツの再生を中断させる要求を送信する（Ｓ１３２７）。
【００４８】
サーバ１０１が中断要求を受信すると、サーバ１０１の制御部１５３１は、サーバ１０１の再生部１５０７にコンテンツの再生を中断させる指示を渡す（Ｓ１３２９）。この指示に従って、サーバ１０１の再生部１５０７は、コンテンツの再生を中断する（Ｓ１３３１）。また、サーバ１０１の制御部１５３１は、タイマの動作を開始させる（Ｓ１３３３）。タイマの動作によって、中断している時間を計測する。サーバ１０１の制御部１５３１は、中断しているコンテンツのガードを開始させる（Ｓ１３３５）。具体的には、サーバ１０１は、コンテンツのソースデータを削除しないようにする。また、コンテンツのソースデータを記憶しているメディア（例えば、ＤＶＤ）を排出しないようにする。
【００４９】
更に、図１４Ａと図１４Ｂを用いてコンテンツ再生中断の時点からコンテンツの表示再開の時点までの流れについて説明する。図１４Ａと図１４Ｂは、表示装置１０３ａ、サーバ１０１、表示装置１０３ｂ及び携帯端末１０５ａとの間のデータフローと主な処理を示している。表示装置１０３ａに関しては、制御部１６３１によるプロセスを示している。サーバ１０１に関しては、図１２及び図１３と同様に、制御部１５３１によるプロセスと再生部１５０７によるプロセスを示している。表示装置１０３ｂに関しては、制御部１６３１によるプロセスと表示部１６０１によるプロセスを示している。
【００５０】
尚、表示装置１０３ａの制御部１６３１によるプロセスは、端子Ａを介して図１４Ａから図１４Ｂへ続いている。サーバ１０１の制御部１５３１によるプロセスは、端子Ｂを介して図１４Ａから図１４Ｂへ続いている。サーバ１０１の再生部１５０７によるプロセスは、端子Ｃを介して図１４Ａから図１４Ｂへ続いている。表示装置１０３ｂの制御部１６３１によるプロセスは、端子Ｄを介して図１４Ａから図１４Ｂへ続いている。表示装置１０３ｂの表示部１６０１によるプロセスは、端子Ｅを介して図１４Ａから図１４Ｂへ続いている。携帯端末１０５ａによるプロセスは、端子Ｆを介して図１４Ａから図１４Ｂへ続いている。
【００５１】
サーバ１０１の制御部１５３１は、コンテンツ再生システムに含まれる表示装置１０３（この例では、表示装置１０３ａと表示装置１０３ｂ、）に対して、携帯端末１０５を監視する要求を送信する（Ｓ１４０１）。
【００５２】
表示装置１０３が監視要求を受信すると、入域判定を繰り返す。この例で、表示装置１０３ａは、入域判定を繰り返す（Ｓ１４０３，Ｓ１４０７，Ｓ１４１５）。表示装置１０３ｂも、入域判定を繰り返す（Ｓ１４０５，Ｓ１４０９，Ｓ１４１７）。入域判定では、携帯端末１０５が通信領域２０３に入ってきたか否かを判定する。具体的には、近距離通信によるペアリングを行う。探索するための電波信号を発信し（Ｓ１４１１，Ｓ１４１９）、携帯端末１０５から返信される応答を示す電波信号を受信する（Ｓ１４１３，Ｓ１４２１）。この例では、表示装置１０３ａの入域判定（Ｓ１４０３，Ｓ１４０７，Ｓ１４１５）では、探索するための電波信号を受信する携帯端末１０５が存在しないので、この信号を表示していない。また、表示装置１０３ｂの入域判定（Ｓ１４０５）でも、探索するための電波信号を受信する携帯端末１０５が存在しないので、この信号を表示していない。
【００５３】
一方、Ｓ１４０９とＳ１４１７の入域判定では、携帯端末１０５ａが探索するための電波信号を受信する。そして、携帯端末１０５ａは、応答を示す電波信号を返信する（Ｓ１４１３，Ｓ１４２１）。Ｓ１４１３では、表示装置１０３ｂの制御部１６３１はレベル１の電波を受信し、携帯端末１０５ａが通信領域２０３ｂに入って来ていないと判定する。Ｓ１４２１では、レベル２の電波を受信し、携帯端末１０５ａが通信領域２０３ｂに入って来たと判定する。
【００５４】
携帯端末１０５ａが通信領域２０３ｂに入って来たと判定すると、表示装置１０３ｂの制御部１６３１は、サーバ１０１の制御部１５３１へ入域通知を送信する（Ｓ１４２３）。入域通知は、通信領域２０３に入って来た携帯端末１０５のＩＤと、受信した電波レベルを含んでいる。
【００５５】
サーバ１０１が入域通知を受信すると、サーバ１０１の制御部１５３１は、再開判定を行う（Ｓ１４２５）。再開判定では、コンテンツの再生を再開するか否かを判定する。入域通知に含まれる携帯端末１０５のＩＤが、中断しているコンテンツに対応付けられている携帯端末１０５のＩＤと一致する場合に、コンテンツの再生を再開すると判定する。また、入域通知の送信元である表示装置１０３を特定する。この表示装置１０３が、動画データの送信先になる。この例では、表示装置１０３ｂを特定する。
【００５６】
尚、中断しているコンテンツに対応付けられている携帯端末１０５のＩＤを含む入域通知が複数の表示装置１０３から送られてきている場合には、電波レベルの高い方の入域通知の送信元である表示装置１０３を特定する。
【００５７】
サーバ１０１の制御部１５３１は、コンテンツ再生システムに含まれる表示装置１０３（この例では、表示装置１０３ａと表示装置１０３ｂ、）に対して、監視を解除させる要求を送信する（Ｓ１４２７）。表示装置１０３が監視を解除させる要求を受信すると、表示装置１０３の制御部１６３１は入域判定の繰り返しを終了する。
【００５８】
サーバ１０１の制御部１５３１は、特定した表示装置１０３ｂにコンテンツ表示要求を送信する（Ｓ１４２９）。
【００５９】
表示装置１０３ｂがコンテンツ表示要求を受信すると、表示装置１０３ｂの制御部１６３１は、表示装置１０３ｂの表示部１６０１へ表示指示を渡す（Ｓ１４３１）。この指示に従って、表示装置１０３ｂの表示部１６０１は、コンテンツの表示を開始する（Ｓ１４３３）。表示装置１０３ｂの表示部１６０１は、サーバ１０１から送られて来る動画データを受けて、表示する状態になる。
【００６０】
更に、サーバ１０１の制御部１５３１は、サーバ１０１の再生部１５０７にコンテンツ再生を再開させる指示を渡す（Ｓ１４３５）。この指示に従って、サーバ１０１の再生部１５０７は、中断しているコンテンツの再生を再開する（Ｓ１４３７）。サーバ１０１の再生部１５０７は、表示装置１０３ｂの表示部１６０１に動画データを送信する（Ｓ１４３９）。
【００６１】
サーバ１０１の制御部１５３１は、タイマを停止させ（Ｓ１４４１）、前述したガードも解除させる（Ｓ１４４３）。表示装置１０３ｂ制御部１６３１は、前述と同様に出域判定を開始する（Ｓ１４４５）。
【００６２】
前述と同様に、表示装置１０３ｂの制御部１６３１は探索するための電波信号を送信し（Ｓ１４４７）、携帯端末１０５ａから応答を示す電波信号を受信する（Ｓ１４４９）。
【００６３】
以上で、コンテンツ再生システムのシーケンスについての説明を終える。続いて、サーバ１０１、表示装置１０３及び携帯端末１０５のモジュール構成について説明する。
【００６４】
図１５に、サーバ１０１のモジュール構成の例を示す。サーバ１０１は、ディスク装置制御部１５０１、管理部１５０３、検索部１５０５、再生部１５０７、操作部１５０９、ＬＡＮ通信部１５１１、制御部１５３１、タイマ１５５１、格納部１５５３及び記憶部１５５５を有している。
【００６５】
ディスク装置制御部１５０１は、コンテンツのデータを格納しているメディアを読み取るための装置である。管理部１５０３は、コンテンツのデータを管理する。例えば、コンテンツのソースデータを削除する動作を行う。検索部１５０５は、コンテンツを検索し、コンテンツ一覧を生成する。再生部１５０７は、コンテンツを再生する。具体的には、指定された再生時点からコンテンツを再生する。再生処理では、例えば圧縮されているコンテンツのソースデータを復号し、動画データと音データを生成する。操作部１５０９は、利用者からの操作を受け付ける。
【００６６】
ＬＡＮ通信部１５１１は、ＬＡＮ通信を行う。ＬＡＮ通信部１５１１は、受信部１５１３と送信部１５１５を有している。受信部１５１３は、相手装置からのデータ（例えば、要求）を受信する。送信部１５１５は、相手装置へデータ（例えば、動画データ）を送信する。
【００６７】
制御部１５３１は、コンテンツ再生システムの連携に係る制御を行う。制御部１５３１は、受付部１５３３、指示部１５３５及び判定部１５３７を有している。受付部１５３３は、受信部１５１３を介して相手装置からの要求を受け付ける。指示部１５３５は、サーバ１０１内のモジュールに対する指示を行う。判定部１５３７は、コンテンツ再生システムの連携に係る判定を行う。
【００６８】
タイマ１５５１は、時間（例えば、コンテンツ再生を中断している時間）を計測する。格納部１５５３は、継続的に保持するデータ（例えば、コンテンツ管理データ）を格納する領域を有している。記憶部１５５５は、一時的なデータ（例えば、入域通知）を記憶する領域を有している。
【００６９】
次に、図１６を用いて表示装置１０３のモジュール構成の例について説明する。表示装置１０３は、表示部１６０１、操作部１６０３、アンプ１６０５、スピーカ１６０７、ＬＡＮ通信部１６１１、制御部１６３１、近距離通信部１６５１、格納部１６５３及び記憶部１６５５を有している。
【００７０】
表示部１６０１は、各種画面や動画データを表示する。操作部１６０３は、利用者の操作を受け付ける。アンプ１６０５は、音データを増幅させる。スピーカ１６０７は、増幅された音データによる音を出す。
【００７１】
ＬＡＮ通信部１６１１は、ＬＡＮ通信を行う。ＬＡＮ通信部１６１１は、受信部１６１３と送信部１６１５を有している。受信部１６１３は、相手装置からのデータ（例えば、動画データ）を受信する。送信部１６１５は、相手装置へデータ（例えば、要求）を送信する。
【００７２】
制御部１６３１は、コンテンツ再生システムの連携に係る制御を行う。制御部１６３１は、受付部１６３３、指示部１６３５及び判定部１６３７を有している。受付部１６３３は、受信部１６１３を介して相手装置からの要求を受け付ける。指示部１６３５は、表示装置１０３内のモジュールに対する指示を行う。判定部１６３７は、コンテンツ再生システムの連携に係る判定を行う。
【００７３】
近距離通信部１６５１は、近距離通信を行う。近距離通信部１６５１は、ペアリングの動作も行う。格納部１６５３は、継続的に保持するデータ（例えば、携帯端末データ）を格納する領域を有している。記憶部１６５５は、一時的なデータを記憶する領域を有している。
【００７４】
更に、図１７を用いて携帯端末１０５のモジュール構成の例について説明する。携帯端末１０５は、表示部１７０１、操作部１７０３、ＬＡＮ通信部１７１１、制御部１７３１及び近距離通信部１７５１を有している。
【００７５】
表示部１７０１は、例えば操作画面のような画面を表示する。操作部１７０３は、利用者の操作を受け付ける。
【００７６】
ＬＡＮ通信部１７１１は、ＬＡＮ通信を行う。ＬＡＮ通信部１７１１は、受信部１７１３と送信部１７１５を有している。受信部１７１３は、相手装置からのデータ（例えば、要求）を受信する。送信部１７１５は、相手装置へデータ（例えば、要求）を送信する。  制御部１７３１は、コンテンツ再生システムの連携に係る制御を行う。近距離通信部１７５１は、近距離通信を行う。近距離通信部１６５１は、ペアリングに応答する動作も行う。以上で、各装置のモジュール構成についての説明を終える。
【００７７】
次に、上述のシーケンスに沿って、サーバ１０１と表示装置１０３の処理フローについて説明する。
【００７８】
図１８に、表示装置１０３の制御部１６３１における処理フローの例を示す。受付部１６３３は、サーバ１０１又は携帯端末１０５からの要求の受信を待つ（Ｓ１８０１）。受付部１６３３は、受信した要求が、携帯端末１０５からのコンテンツ検索要求であるか否かを判定する（Ｓ１８０３）。受信した要求が、携帯端末１０５からのコンテンツ検索要求でないと判定した場合には、Ｓ１８０７の処理に移る。一方、受信した要求が、携帯端末１０５からのコンテンツ検索要求であると判定した場合には、制御部１６３１はコンテンツ検索要求処理を行う（Ｓ１８０５）。
【００７９】
図１９に、表示装置１０３におけるコンテンツ検索要求処理フローの例を示す。送信部１６１５は、コンテンツ検索要求を転送する（Ｓ１９０１）。コンテンツ検索要求には、検索条件を含むようにしてもよい。
【００８０】
サーバ１０１側の処理についての説明に移る。図２０に、サーバ１０１の制御部１５３１における処理フローの例を示す。受信部１５１３は、表示装置１０３からの要求の受信を待つ（Ｓ２００１）。受付部１５３３は、受信した要求が、表示装置１０３からのコンテンツ検索要求であるか否かを判定する（Ｓ２００３）。受信した要求が、表示装置１０３からのコンテンツ検索要求でないと判定した場合には、Ｓ２００７の処理に移る。一方、受信した要求が、表示装置１０３からのコンテンツ検索要求であると判定した場合には、制御部１５３１はコンテンツ検索要求処理を行う（Ｓ２００５）。
【００８１】
図２１に、サーバ１０１におけるコンテンツ検索要求処理フローの例を示す。指示部１５３５は、検索部１５０５へコンテンツ検索指示を渡す（Ｓ２１０１）。この指示に従って、検索部１５０５はディスク装置制御部１５０１からメディアに格納されているコンテンツに関するデータ（タイトル、再生時間など）を読み取り、コンテンツ一覧画面のデータを生成する。この処理は、図１２に示したコンテンツ検索（Ｓ１２０７）に相当する。制御部１５３１の命令によって、送信部１５１５は、生成したコンテンツ一覧を示す画面のデータを検索要求元の表示装置１０３へ送信する（Ｓ２１０３）。
【００８２】
図１９の処理に戻って、表示装置１０３の受信部１６１３は、コンテンツ一覧画面のデータを受信し（Ｓ１９０３）、表示装置１０３の表示部１６０１は、コンテンツ一覧画面を表示する（Ｓ１９０５）。この処理は、図１２に示したコンテンツ一覧表示（Ｓ１２１５）に相当する。コンテンツ検索要求処理を終えると、図１８に示したＳ１８０１の処理に戻る。
【００８３】
このようにして、表示装置１０３の表示部１６０１にコンテンツ一覧が表示される。上記処理は、図１２に示したＳ１２１１までのシーケンスに相当する。更に、コンテンツの再生に関する処理について説明を続ける。
【００８４】
図１８の処理に戻って、表示装置１０３の受付部１６３３は、受信した要求が、携帯端末１０５からのコンテンツ再生要求であるか否かを判定する（Ｓ１８０７）。受信した要求が、携帯端末１０５からのコンテンツ再生要求でないと判定した場合には、Ｓ１８１１の処理に移る。一方、受信した要求が、携帯端末１０５からのコンテンツ再生要求であると判定した場合には、表示装置１０３の制御部１６３１はコンテンツ再生要求処理を行う（Ｓ１８０９）。
【００８５】
図２２に、コンテンツ再生要求処理フローの例を示す。表示装置１０３の制御部１６３１の命令によって、送信部１６１５は、コンテンツ再生要求をサーバ１０１に転送する（Ｓ２２０１）。コンテンツ再生要求には、再生させるコンテンツを特定する情報が含まれている。
【００８６】
図２０の処理に戻って、サーバ１０１の受付部１５３３は、受信した要求が、表示装置１０３からのコンテンツ再生要求であるか否かを判定する（Ｓ２００７）。受信した要求が、表示装置１０３からのコンテンツ再生要求でないと判定した場合には、Ｓ２０１１の処理に移る。一方、受信した要求が、表示装置１０３からのコンテンツ再生要求であると判定した場合には、指示部１５３５はコンテンツ再生指示を再生部１５０７に渡す（Ｓ２００９）。この指示に従って、再生部１５０７はディスク装置制御部１５０１からメディアに格納されているコンテンツのソースデータを順次読み取り、復号し、動画データを生成する。そして、順次動画データを要求元に送信する。この処理は、図１２に示したコンテンツ再生（Ｓ１２２３）に相当する。
【００８７】
図２２の処理に戻って、表示装置１０３の指示部１６３５は、表示部１６０１に表示指示を渡す（Ｓ２２０３）。表示部１６０１は、受信部１６１３を介して順次受信した動画データを表示する。動画データに音データが含まれている場合には、アンプ１６０５は音データを増幅し、スピーカ１６０７から出音する。この処理は、図１２に示したコンテンツ表示（Ｓ１２２７）に相当する。
【００８８】
ここまでの処理で、表示装置１０３の表示部１６０１にコンテンツが表示される。上記処理は、図１２に示したＳ１２２９までのシーケンスに相当する。更に、コンテンツの再生に関する処理について説明を続ける。
【００８９】
尚、再生中に携帯端末１０５で再生終了を指示すると、携帯端末１０５から再生終了要求が送信され、サーバ１０１におけるコンテンツ再生と表示装置１０３におけるコンテンツ表示が終了する。以下、終了の処理について説明する。
【００９０】
表示装置１０３の受付部１６３３は、再生終了要求を受信したか否かを判定する（Ｓ２２０５）。再生終了要求を受信していないと判定した場合には、Ｓ２２１１の処理に移る。一方、再生終了要求を受信したと判定した場合には、指示部１６３５は、表示部１６０１に中止指示を渡す（Ｓ２２０７）。この指示に従って、表示部１６０１はコンテンツの表示を中止する。動画データに音データが含まれている場合には、出音も中止する。送信部１６１５は、サーバ１０１へコンテンツの再生を終了させる要求を送信する（Ｓ２２０９）。
【００９１】
図２０の処理に戻って、サーバ１０１の受付部１５３３は、受信した要求が、表示装置１０３からの終了要求であるか否かを判定する（Ｓ２０１１）。受信した要求が、表示装置１０３からの終了要求でないと判定した場合には、Ｓ２０１５の処理に移る。一方、受信した要求が、表示装置からの終了要求であると判定した場合には、指示部１５３５は、再生部１５０７に終了指示を渡す（Ｓ２０１３）。この指示に従って、再生部１５０７はコンテンツの再生を終了する。
【００９２】
次に、中断に至る処理について説明する。
【００９３】
図２２の処理に戻って、表示装置１０３の判定部１６３７は、出域判定処理のタイミングを待つ（Ｓ２２１１）。例えば、前回の出域判定処理から所定の期間が経過するまで待つ。タイミングに至ると、判定部１６３７は、出域判定処理を行う（Ｓ２２１３）。この処理は、図１３に示した出域判定（Ｓ１３０１，Ｓ１３０７，Ｓ１３１３）に相当する。
【００９４】
図２３に、出域判定処理フローの例を示す。判定部１６３７は、近距離通信部１６５１によるペアリング処理を行う（Ｓ２３０１）。ペアリング処理によって、近距離通信部１６５１は探索するための電波信号を送信し、携帯端末１０５から応答を示す電波信号を受信する。応答を示す電波信号には、応答した携帯端末１０５のＩＤが含まれている。
【００９５】
判定部１６３７は、今回の域内端末を判定する（Ｓ２３０３）。今回の域内端末とは、今回のペアリングによって通信領域２０３内に位置すると判定された携帯端末１０５のことである。具体的には、応答を示す電波信号のうち、電波レベルがレベル２以上である電波信号に含まれている携帯端末１０５のＩＤを特定する。
【００９６】
更に、判定部１６３７は、前回の域内端末を特定する（Ｓ２３０５）。前回の域内端末とは、前回のペアリングによって通信領域２０３内に位置すると判定された携帯端末１０５のことである。具体的には、格納部１６５３に記憶されている携帯端末データから特定する。
【００９７】
そして、判定部１６３７は、前回の域内端末が今回の域内端末と一致するか否かを判定する（Ｓ２３０７）。前回の域内端末が今回の域内端末と一致すると判定した場合には、判定部１６３７は、判定結果を「出域無し」とする（Ｓ２３０９）。一方、前回の域内端末が今回の域内端末と一致しないと判定した場合には、判定部１６３７は、通信領域２０３を出た携帯端末１０５を特定する（Ｓ２３１１）。具体的には、今回の域内端末と一致しなかった前回の域内端末が、通信領域２０３を出た携帯端末１０５となる。そして、判定部１６３７は、判定結果を「出域有り」とする（Ｓ２３１３）。
【００９８】
いずれの判定結果の場合も、判定部１６３７は、今回の応答に基づいて携帯端末データを更新する（Ｓ２３１５）。図２２のＳ２２１５の処理に戻る。
【００９９】
図２２の処理に戻って、制御部１６３１は、判定結果によって処理を分岐させる（Ｓ２２１５）。判定結果が「出域無し」である場合には、Ｓ２２０５の処理に戻る。一方、判定結果が「出域有り」である場合には、指示部１６３５は、表示部１６０１に警告を表示する指示を渡す（Ｓ２２１７）。表示部１６０１は、コンテンツの再生と表示を中断する旨の警告を表示する。この処理は、図１３に示した警告表示（Ｓ１３２１）に相当する。
【０１００】
受信部１６１３は、所定の期間が経過するまで、携帯端末１０５からの継続要求を待つ（Ｓ２２１９）。受付部１６３３は、携帯端末１０５から継続要求を受信したか否かを判定する（Ｓ２２２１）。携帯端末１０５から継続要求を受信したと判定した場合には、コンテンツ再生要求処理を終える。従って、以後はそのままコンテンツの再生と表示が継続される。尚、携帯端末１０５に対する利用者の操作によって、携帯端末１０５で動画データを受信し、継続的に表示するようにしてもよい。
【０１０１】
一方、携帯端末１０５から継続要求を受信していないと判定した場合には、指示部１６３５は、表示部１６０１にコンテンツの表示を中止する指示を渡す（Ｓ２２２３）。この指示に従って、表示部１６０１は、コンテンツの表示を中止する。図１３に示した表示中止（Ｓ１３２５）に相当する。更に、送信部１６１５は、サーバ１０１へコンテンツの再生を中断させる要求を送信する（Ｓ２２２５）。
【０１０２】
図２０の処理に戻って、サーバ１０１の受付部１５３３は、受信した要求が、表示装置１０３からの中断要求であるか否かを判定する（Ｓ２０１５）。受信した要求が、表示装置１０３からの中断要求でないと判定した場合には、Ｓ２００１の処理に戻る。一方、受信した要求が、表示装置１０３からの中断要求であると判定した場合には、制御部１５３１は中断要求処理を行う（Ｓ２０１７）。
【０１０３】
図２４に、中断要求処理フローの例を示す。指示部１５３５は、再生部１５０７にコンテンツの再生を中断させる指示を渡す（Ｓ２４０１）。この指示に従って、再生部１５０７はコンテンツの再生を中断する。この処理は、図１３に示した再生中断（Ｓ１３３１）に相当する。
【０１０４】
制御部１５３１は、タイマ１５５１に中断期間の計測を開始させる（Ｓ２４０３）。タイマ１５５１は、中断期間の計測を開始する。この処理は、図１３に示したタイマ開始（Ｓ１３３３）に相当する。
【０１０５】
制御部１５３１は、ディスク装置制御部１５０１と管理部１５０３にガードを開始させる（Ｓ２４０５）。ディスク装置制御部１５０１と管理部１５０３は、ガードを開始する。ディスク装置制御部１５０１は、再生を中断させたコンテンツのソースデータを格納しているメディアを排出させる指示を受け付けないように動作する。あるいは、ディスク装置制御部１５０１は、再生を中断させたコンテンツを格納しているメディアを排出させる指示を受け付けても、メディアを排出する動作を行わない。
【０１０６】
このとき、排出指示に対して、メディアを排出しないガード状態であることを表示するようにしてもよい。
【０１０７】
管理部１５０３は、再生を中断させたコンテンツを削除する指示を受け付けないように動作する。あるいは、管理部１５０３は、再生を中断させたコンテンツのソースデータを削除する指示を受け付けても、コンテンツを削除する動作を行わない。この処理は、図１３に示したガード開始（Ｓ１３３５）に相当する。
【０１０８】
このとき、削除指示に対して、コンテンツのソースデータを削除しないガード状態であることを表示するようにしてもよい。これにより、容量確保のために誤って削除されることを防げる。
【０１０９】
このようにして、コンテンツの再生及び表示が中断する。上記処理は、図１３に示したＳ１３３５までのシーケンスに相当する。更に、再開に向けての処理について説明を続ける。
【０１１０】
図２４に示したように、サーバ１０１の送信部１５１５は、ＬＡＮに接続されている表示装置１０３に監視要求を送信する（Ｓ２４０７）。
【０１１１】
図１８の処理に戻って、表示装置１０３の受付部１６３３は、受信した要求が、サーバ１０１からの監視要求であるか否かを判定する（Ｓ１８１１）。受信した要求が、サーバ１０１からの監視要求でないと判定した場合には、Ｓ１８１５の処理に移る。一方、受信した要求が、サーバ１０１からの監視要求であると判定した場合には、制御部１６３１は監視要求処理を行う（Ｓ１８１３）。
【０１１２】
図２５に、監視要求処理フローの例を示す。受付部１６３３は、受信部１６１３によって解除要求を受信したか否かを判定する（Ｓ２５３１）。受信部１６１３によって解除要求を受信したと判定した場合には、監視要求処理を終え、図１８のＳ１８０１の処理に戻る。
【０１１３】
受信部１６１３によって解除要求を受信していないと判定した場合には、判定部１６３７は、入域判定のタイミングに至ったか否かを判定する（Ｓ２５３３）。例えば、前回の入域判定処理から一定期間経過した場合に、タイミングに至ったと判定する。入域判定のタイミングに至っていないと判定した場合には、Ｓ２５３１の処理に戻る。入域判定のタイミングに至ったと判定した場合には、判定部１６３７は入域判定処理を行う（Ｓ２５３５）。
【０１１４】
図２６に、入域判定処理フローの例を示す。図１４Ａに示した入域判定（Ｓ１４０３，Ｓ１４０５，Ｓ１４０７，Ｓ１４０９，Ｓ１４１５，Ｓ１４１７）に相当する。判定部１６３７は、近距離通信部１６５１によるペアリング処理を行う（Ｓ２６０１）。ペアリング処理によって、近距離通信部１６５１は探索するための電波信号を送信し、携帯端末１０５から応答を示す電波信号を受信する。応答を示す電波信号には、応答した携帯端末１０５のＩＤが含まれている。
【０１１５】
判定部１６３７は、今回の域内端末を判定する（Ｓ２６０３）。今回の域内端末とは、今回のペアリングによって通信領域２０３内に位置すると判定された携帯端末１０５のことである。具体的には、応答を示す電波信号のうち、電波レベルがレベル２以上である電波信号に含まれている携帯端末１０５のＩＤを特定する。
【０１１６】
更に、判定部１６３７は、前回の域内端末を特定する（Ｓ２６０５）。前回の域内端末とは、前回のペアリングによって通信領域２０３内に位置すると判定された携帯端末１０５のことである。具体的には、格納部１６５３に記憶している携帯端末データから特定する。
【０１１７】
そして、判定部１６３７は、今回の域内端末が前回の域内端末と一致するか否かを判定する（Ｓ２６０７）。今回の域内端末が前回の域内端末と一致しないと判定した場合には、判定部１６３７は、通信領域２０３に入った携帯端末を特定する（Ｓ２６０９）。具体的には、前回の域内端末と一致しなかった今回の域内端末が、通信領域２０３に入った携帯端末となる。そして、判定部１６３７は、判定結果を「入域有り」とする（Ｓ２６１１）。
【０１１８】
一方、Ｓ２６０７の処理で今回の域内端末が前回の域内端末と一致すると判定した場合には、判定部１６３７は、判定結果を「入域無し」とする（Ｓ２６１３）。いずれの判定結果の場合も、判定部１６３７は、今回の応答に基づいて携帯端末データを更新する（Ｓ２６１５）。そして、図２５に示したＳ２５３７の処理に戻る。
【０１１９】
図２５の処理に戻って、制御部１６３１は、判定結果によって処理を分岐させる（Ｓ２５３７）。判定結果が「入域無し」である場合には、Ｓ２５３１の処理に戻る。一方、判定結果が「入域有り」である場合には、送信部１６１５は、サーバ１０１に入域通知を送信する（Ｓ２５３９）。入域通知は、電波レベルと携帯端末１０５のＩＤを含んでいる。
【０１２０】
図２４の処理に戻って、サーバ１０１の受付部１５３３は、受信部１５１３を介して入域通知を受信したか否かを判定する（Ｓ２４０９）。入域通知を受信したと判定した場合には、受付部１５３３は、記憶部１５５５に入域通知を記憶させ（Ｓ２４１１）、Ｓ２４１３の処理に移る。入域通知を受信していないと判定した場合には、Ｓ２４１３の処理に移る。判定部１５３７は、再開判定のタイミングに至ったか否かを判定する（Ｓ２４１３）。例えば、前回の再開判定処理から一定期間が経過した場合に、再開判定のタイミングに至ったと判定する。
【０１２１】
再開判定のタイミングに至ったと判定した場合には、判定部１５３７は、再開判定処理を行う（Ｓ２４１５）。この処理は、図１４Ｂに示した再開判定（Ｓ１４２５）に相当する。
【０１２２】
図２７に、再開判定処理フローの例を示す。判定部１５３７は、中断要求に含まれる携帯端末１０５のＩＤを特定する（Ｓ２７０１）。判定部１５３７は、中断要求に含まれる携帯端末１０５のＩＤが入域通知に含まれる携帯端末１０５のＩＤと一致するか否かを判定する（Ｓ２７０３）。中断要求に含まれる携帯端末１０５のＩＤが入域通知に含まれる携帯端末１０５のＩＤと一致しないと判定した場合には、判定部１５３７は、判定結果を「再開しない」として（Ｓ２７０５）、再開判定処理を終了する。
【０１２３】
一方、中断要求に含まれる携帯端末１０５のＩＤが入域通知に含まれる携帯端末１０５のＩＤと一致したと判定した場合には、判定部１５３７は、最も高い電波レベルを含む入域通知の送信元である表示装置１０３を特定する（Ｓ２７０７）。中断要求に含まれる携帯端末１０５のＩＤを含む入域通知が１つの場合には、その入域通知の送信元である表示装置１０３を特定する。判定部１５３７は、判定結果を「再開する」として（Ｓ２７０９）、再開判定処理を終了する。
【０１２４】
このようにすれば、携帯端末１０５を保持する利用者が二以上の表示装置１０３に近いづいた状況で、より近いと推定される表示装置１０３を選択することができる。
【０１２５】
図２４の処理に戻って、制御部１５３１は、判定結果によって処理を分岐させる（Ｓ２４１７）。判定結果が「再開しない」である場合には、Ｓ２４０９の処理に戻る。一方、判定結果が「再開する」である場合には、送信部１５１５は、ＬＡＮに接続されている表示装置１０３に監視を解除する要求を送信する（Ｓ２４１９）。この要求に対する表示装置１０３側の対応は、図２５のＳ２５３１で説明した通りである。
【０１２６】
送信部１５１５は、図２７に示したＳ２７０７で特定した表示装置１０３にコンテンツ表示要求を送信する（Ｓ２４２１）。
【０１２７】
図１８の処理に戻って、表示装置１０３の受付部１６３３は、受信した要求が、サーバ１０１からのコンテンツ表示要求であるか否かを判定する（Ｓ１８１５）。受信した要求が、サーバ１０１からのコンテンツ表示要求でないと判定した場合には、Ｓ１８０１の処理に戻る。一方、受信した要求が、サーバ１０１からのコンテンツ表示要求であると判定した場合には、制御部１６３１は、コンテンツ表示要求処理を行う（Ｓ１８１７）。
【０１２８】
図２８に、コンテンツ表示要求処理フローの例を示す。図２２に示したコンテンツ再生要求処理のフローにおけるＳ２２０３からＳ２２２５までと同様の処理を行う。
【０１２９】
図２４の処理に戻って、サーバ１０１の指示部１５３５は、再生部１５０７にコンテンツの再生を再開させる指示を渡す（Ｓ２４２３）。再生部１５０７は、中断しているコンテンツの再生を再開させる。格納部１５５３に格納しているコンテンツ管理データに基づいて再生済み時間から再生を再開する。
【０１３０】
ここまでの処理は、図１４ＢのＳ１４４９までのシーケンスに相当する。尚、再開の期限が切れた場合には、表示装置１０３による監視、タイマ及びガードを解除する。以下、その処理について説明する。
【０１３１】
図２４に示したように、Ｓ２４１３で再開判定のタイミングに至っていないと判定した場合には、判定部１５３７は、再開期限を過ぎたか否かを判定する（Ｓ２４２５）。例えば、タイマ１５５１で計測している中断期間が所定の期間を超えた場合に、再開期限を過ぎたと判定する。再開期限を過ぎていないと判定した場合には、Ｓ２４０９の処理に戻る。
【０１３２】
一方、再開期限を過ぎていると判定した場合には、送信部１５１５は、ＬＡＮに接続している表示装置１０３に監視を解除させる要求を送信する（Ｓ２４２７）。制御部１５３１は、タイマ１５５１による計測を停止させる（Ｓ２４２９）。この処理は、図１４Ｂに示したタイマ停止（Ｓ１４４１）に相当する。制御部１５３１は、ディスク装置制御部１５０１と管理部１５０３にガードを解除させる（Ｓ２４３１）。この処理は、図１４Ｂに示したガード解除（Ｓ１４４３）に相当する。
【０１３３】
中断を解除する方法として、携帯端末１０５の操作部１７０３で受け付けた指示によって中断を解除するようにしてもよい。また、表示装置１０３の操作部１６０３で受け付けた指示によって中断を解除するようにしてもよい。
【０１３４】
また、ガードされている状態であっても、利用者からの指示によってガードを強制的に解除するようにしてもよい。つまり、コンテンツのソースデータを強制的に削除したり、コンテンツのソースデータを記憶しているメディアを強制的に排出するようにしてもよい。
【０１３５】
本実施の形態によれば、携帯端末１０５を保持する利用者が表示装置１０３に近づいた段階で、中断されている映像再生と音再生の両方又は一方と、中止されている映像出力と音出力の両方又は一方とを自動的に再開させ、操作を要せずに視聴を継続させることができる。更に、復帰時の連続的な視聴も可能となる。
【０１３６】
更に、携帯端末１０５を保持する利用者が出力装置から離れた段階で、無駄な再生と出力の動作を抑制させることができる。
【０１３７】
また、ガードするので、中断している間にコンテンツのソースデータあるいはメディアが消滅し、あるいは、再生を再開できない事態を回避することができる。
【０１３８】
携帯端末１０５から指示によって、再生中の出域判定を中止させ、再開させるように制御するようにしてもよい。また、再生開始後に、携帯端末１０５に具備された加速線センサーあるいは地磁気センサーを利用し、一定時間以上携帯端末１０５が静止状態にあると判断した場合に、出域判定を停止するようにしてもよい。また、携帯端末１０５が静止状態を脱した場合に、出域判定を再開するようにしてもよい。
【０１３９】
以上本技術の一実施の形態を説明したが、本技術はこれに限定されるものではない。例えば、上述の機能ブロック構成はプログラムモジュール構成に対応しない場合もある。
【０１４０】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０１４１】
なお、上で述べたサーバ１０１と表示装置１０３はコンピュータ装置であって、図２９に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１４２】
以上述べた実施の形態をまとめると、以下のようになる。
【０１４３】
本実施の形態に係る出力方法は、複数の出力装置のうちいずれかの出力装置から、可搬装置からの電波を受信したことを示す通知を受信する処理と、上記電波を受信した出力装置に、中止されている映像出力と音出力の両方又は一方を再開させる処理とを含む。
【０１４４】
このようにすれば、可搬装置を保持する利用者が出力装置に近づいた段階で、中止されている映像出力と音出力の両方又は一方を自動的に再開させ、操作を要せずに視聴を継続させることができる。
【０１４５】
更に、上記出力方法は、電波を受信した二以上の出力装置のうち、受信した電波の強度が大きい方の出力装置を選択する処理を含むようにしてもよい。
【０１４６】
このようにすれば、可搬装置を保持する利用者が二以上の出力装置に近いづいた状況で、より近いと推定される出力装置を選択することができる。
【０１４７】
更に、上記出力方法は、映像と音の両方又は一方を出力している出力装置において、可搬装置から受信した電波が所定の強度に達しない場合に、当該出力装置における出力を中止させる処理と、映像と音の両方又は一方に係る出力情報の再生を中断させる処理とを含むようにしてもよい。
【０１４８】
このようにすれば、可搬装置を保持する利用者が出力装置から離れた段階で、無駄な再生と出力の動作を抑制させることができる。
【０１４９】
更に、上記出力方法は、出力を再開させる場合に、中断させた再生を再開させる処理を含むようにしてもよい。
【０１５０】
このようにすれば、可搬装置を保持する利用者が出力装置に近づいた段階で、自動的に中断している再生を再開させ、操作を要せずに視聴を継続させることができる。更に、復帰時における連続的な視聴が可能となる。
【０１５１】
更に、上記出力方法は、再生を中断する場合に、出力情報を再生するためのソースデータを削除させる要求を拒絶する処理を含むようにしてもよい。
【０１５２】
このようにすれば、中断している間にソースデータが消滅し、再生を再開できない事態を回避することができる。
【０１５３】
更に、上記出力方法は、再生を中断する場合に、出力情報を再生するためのソースデータを記憶しているメディアを排出させる要求を拒絶する処理を含むようにしてもよい。
【０１５４】
このようにすれば、中断している間にメディアが消滅し、再生を再開できない事態を回避することができる。
【０１５５】
更に、上記出力方法は、可搬装置からの指示によって、可搬装置から受信した電波が所定の強度に達しない場合の判定を中止させ、あるいは再開させる処理を含むようにしてもよい。
【０１５６】
このようにすれば、利用者の意図に反して出力が中止され、再生が中断されることを防止できる。
【０１５７】
更に、可搬装置が静止状態にある場合に、可搬装置から受信した電波が所定の強度に達しない場合の判定を停止する処理を含むようにしてもよい。
【０１５８】
このようにすれば、無駄な処理負担を削減することができる。
【０１５９】
更に、可搬装置が静止状態を脱した場合に、可搬装置から受信した電波が所定の強度に達しない場合の判定を再開する処理を含むようにしてもよい。
【０１６０】
このようにすれば、適正な判定処理を再開させることができる。
【０１６１】
本実施の形態に係る出力システムは、可搬装置からの電波を受信する受信部を有する複数の出力装置と、いずれか１つの出力装置に、中止されている映像出力と音出力の両方又は一方を再開させる制御部とを有する。
【０１６２】
このようにすれば、可搬装置を保持する利用者が出力装置に近づいた段階で、中止されている映像出力と音出力の両方又は一方を自動的に再開させ、操作を要せずに視聴を継続させることができる。
【０１６３】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【０１６４】
以上の実施例を含む実施形態に関し、さらに以下の付記を開示する。
【０１６５】
（付記１）
複数の出力装置のうちいずれかの出力装置から、可搬装置からの電波を受信したことを示す通知を受信する処理と、
前記電波を受信した出力装置に、中止されている映像出力と音出力の両方又は一方を再開させる処理と
を含む出力方法。
【０１６６】
（付記２）
更に、
前記電波を受信した二以上の出力装置のうち、受信した前記電波の強度が大きい方の出力装置を選択する処理
を含む付記１記載の出力方法。
【０１６７】
（付記３）
更に、
映像と音の両方又は一方を出力している出力装置において、可搬装置から受信した電波が前記所定の強度に達しない場合に、当該出力装置における出力を中止させる処理と、
前記映像と音の両方又は一方に係る出力情報の再生を中断させる処理と、
を含む付記１又は２記載の出力方法。
【０１６８】
（付記４）
更に、
前記出力を再開させる場合に、中断させた前記再生を再開させる処理
を含む付記３記載の出力方法。
【０１６９】
（付記５）
更に、
前記再生を中断する場合に、前記出力情報を再生するためのソースデータを削除させる要求を拒絶する処理
を含む付記３又は４記載の出力方法。
【０１７０】
（付記６）
更に、
前記再生を中断する場合に、前記出力情報を再生するためのソースデータを記憶しているメディアを排出させる要求を拒絶する処理
を含む付記３又は４記載の出力方法。
【０１７１】
（付記７）
前記可搬装置からの指示によって、前記可搬装置から受信した前記電波が前記所定の強度に達しない場合の判定を中止させ、あるいは再開させる処理
を含む付記３記載の出力方法。
【０１７２】
（付記８）
前記可搬装置が静止状態にある場合に、前記可搬装置から受信した前記電波が前記所定の強度に達しない場合の判定を停止する処理
を含む付記３記載の出力方法。
【０１７３】
（付記９）
前記可搬装置が静止状態を脱した場合に、前記可搬装置から受信した前記電波が前記所定の強度に達しない場合の判定を再開する処理
を含む付記８記載の出力方法。
【０１７４】
（付記１０）
可搬装置からの電波を受信する受信部を有する複数の出力装置と、
いずれか１つの出力装置に、中止されている映像出力と音出力の両方又は一方を再開させる制御部と
を有する出力システム。
【０１７５】
（付記１１）
複数の出力装置のうちいずれかの出力装置から、可搬装置からの電波を受信したことを示す通知を受信する処理と、
前記電波を受信した出力装置に、中止されている映像出力と音出力の両方又は一方を再開させる処理と
をコンピュータに実行させるためのプログラム。
【符号の説明】
【０１７６】
１０１  サーバ    １０３  表示装置
１０５  携帯端末    １０７  アクセスポイント
２０１  部屋    ２０３  通信領域
１５０１  ディスク装置制御部    １５０３  管理部
１５０５  検索部    １５０７  再生部
１５０９  操作部    １５１１  ＬＡＮ通信部
１５１３  受信部    １５１５  送信部
１５３１  制御部    １５３３  受付部
１５３５  指示部    １５３７  判定部
１５５１  タイマ    １５５３  格納部
１５５５  記憶部    １６０１  表示部
１６０３  操作部    １６０５  アンプ
１６０７  スピーカ    １６１１  ＬＡＮ通信部
１６１３  受信部    １６１５  送信部
１６３１  制御部    １６３３  受付部
１６３５  指示部    １６３７  判定部
１６５１  近距離通信部    １６５３  格納部
１６５５  記憶部    １７０１  表示部
１７０３  操作部    １７１１  ＬＡＮ通信部
１７１３  受信部    １７１５  送信部
１７３１  制御部    １７５１  近距離通信部
【図１】
2014127919.tif 000003
【図２】
2014127919.tif 000004
【図３】
2014127919.tif 000005
【図４】
2014127919.tif 000006
【図５】
2014127919.tif 000007
【図６】
2014127919.tif 000008
【図７】
2014127919.tif 000009
【図８】
2014127919.tif 000010
【図９】
2014127919.tif 000011
【図１０】
2014127919.tif 000012
【図１１】
2014127919.tif 000013
【図１２】
2014127919.tif 000014
【図１３】
2014127919.tif 000015
【図１４Ａ】
2014127919.tif 000016
【図１４Ｂ】
2014127919.tif 000017
【図１５】
2014127919.tif 000018
【図１６】
2014127919.tif 000019
【図１７】
2014127919.tif 000020
【図１８】
2014127919.tif 000021
【図１９】
2014127919.tif 000022
【図２０】
2014127919.tif 000023
【図２１】
2014127919.tif 000024
【図２２】
2014127919.tif 000025
【図２３】
2014127919.tif 000026
【図２４】
2014127919.tif 000027
【図２５】
2014127919.tif 000028
【図２６】
2014127919.tif 000029
【図２７】
2014127919.tif 000030
【図２８】
2014127919.tif 000031
【図２９】
2014127919.tif 000032